(57)【特許請求の範囲】
【請求項１】
容器の開口部の内側面に当接する内周壁と容器の開口部の外側面に当接する外周壁とからなるＵ字形の挟着部を蓋本体の外周縁に一体に形成し、該外周壁の内面に該容器の開口縁と係合する環状突条を形成してなる密閉蓋であって、前記環状突条は前記外周壁を貫通する複数の切欠を周方向に適宜間隔で設けることで複数に分断状なるように形成され、該外周壁に肉薄溝を該環状突条の下側と上側とに周方向で交互になるように形成し、該各肉薄溝の両端を該切欠の上下端に夫々連通させると共に、該外周壁の該肉薄溝から下部にプルタブを一体に形成し、該プルタブを引張り該外周壁の該肉薄溝から下部を引きちぎることで該環状突条が１つ置きに離脱されるようにしたことを特徴とする容器の密閉蓋。
【請求項２】
環状突条の下側の肉薄溝は内周面を凹ませることにより形成し、環状突条の上側の肉薄溝は外周面を凹ませることにより形成した請求項１に記載の容器の密閉蓋。
【発明の詳細な説明】
【０００１】
【発明の属する技術分野】
本発明は、容器の開口部を開閉可能に密閉する合成樹脂製の密閉蓋の構造に関するものである。
【０００２】
【従来の技術】
容器の上端開口部を密閉する合成樹脂製の密閉蓋は、一般に該開口部の外側面に当接する外周壁が一体に形成され、該外周壁の内面に該容器の開口縁と係合する環状突条を形成することにより、離脱することなく密閉性が保持されるように構成されている。
また、その密閉蓋の一部に形成されたプルタブを手で摘んで引張ることにより肉薄溝から下部が引きちぎれ、開封可能になる構成も特開昭６３−１２５１５９号公報等により従来から知られている。
【０００３】
【発明が解決しようとする課題】
ところで、一般に例えば食品，洗剤等を収容するための容器の密閉蓋では、強固に密閉でき気密性が高いこと、開封が容易であること、等が要望されるが、上記従来の密閉蓋はプルタブを引張って肉薄溝から下部を引きちぎった状態でも上記環状突条が容器の開口縁と全周にわたって係合したままであるので、なおも該密閉蓋は容器に強固に嵌着していて非常に開け難いという問題がある。また、この密閉蓋をいったん開けた後に再び閉じようとする際にも、上記環状突条をまた全周にわたって開口縁に係合させる必要があるので、大きな力で嵌め込み直さねばならず、使い難いという問題があった。
【０００４】
本発明は、上述に鑑みてなされたもので、容易に開閉できるとともに、いったん開けた後に再び閉じた際にも所期の密閉性が維持される密閉蓋を提供するものである。
【０００５】
【課題を解決するための手段】
そのために本発明は、容器の開口部の内側面に当接する内周壁と容器の開口部の外側面に当接する外周壁とからなるＵ字形の挟着部を蓋本体の外周縁に一体に形成し、該外周壁の内面に該容器の開口縁と係合する環状突条を形成してなる密閉蓋であって、前記環状突条は前記外周壁を貫通する複数の切欠を周方向に適宜間隔で設けることで複数に分断状なるように形成され、該外周壁に肉薄溝を該環状突条の下側と上側とに周方向で交互になるように形成し、該各肉薄溝の両端を該切欠の上下端に夫々連通させると共に、該外周壁の該肉薄溝から下部にプルタブを一体に形成し、該プルタブを引張り該外周壁の該肉薄溝から下部を引きちぎることで該環状突条が１つ置きに離脱されるようにしたことを特徴とする。
また本発明は上記密閉蓋において、環状突条の下側の肉薄溝は内周面を凹ませることにより形成し、環状突条の上側の肉薄溝は外周面を凹ませることにより形成したことを特徴とする。
【０００６】
【発明の実施の形態】
次に図面に従い本発明の実施の形態を説明する。図１は本発明に係る容器１とその上端開口部に被せられた密閉蓋１０の斜視図、図２はその縦断面図である。容器１は開口縁２が外方折返状に形成されているとともに、その下部外周に水平フランジ３，４、および、下向フランジ５が一体に形成されたものである。
【０００７】
また、図３は上記密閉蓋１０の斜視図、図４はその側面図、図５はその平面図、図６はその縦断面図、図７はその裏面図である。密閉蓋１０は、蓋本体１１の外周縁に容器１の開口部の内側面に当接する内周壁１２を形成するとともに、該内周壁１２の上端を下方に折り返して容器１の開口部の外側面に当接する外周壁１３を形成することによりＵ字形の挟着部１４を形成している。１５は蓋本体１１の外周縁の表面と内周壁１２とを連接している放射状の補強リブ、１６は蓋本体１１の外周縁の裏面と内周壁１２とを連接している放射状の補強リブである。
【０００８】
そして、上記外周壁１３の内面に容器１の開口縁２と係合する環状突条１７ａ〜１７ｈを上下に長いスリット状の切欠１８ａ〜１８ｈを設けることで周方向に適宜間隔で分断状なるように形成する。即ち、図５に符号Ａ〜符号Ｈで示したようにこの密閉蓋１０は周方向に８つの領域に区分され、領域Ａ，Ｃ，Ｅ，Ｇの専有角度は２２．５度、領域Ｂ，Ｄ，Ｆ，Ｈの専有角度は６７．５度に夫々設定され、該各領域の境に切欠１８ａ〜１８ｈが設けられる。そして、領域Ａ，Ｃ，Ｅ，Ｇについては、図９に断面図を示したように、その環状突条１７ａ，１７ｃ，１７ｅ，１７ｇの下側の内周面を凹ませることにより肉薄溝１９ａ，１９ｃ，１９ｅ，１９ｇを形成し、領域Ｂ，Ｄ，Ｆ，Ｈについては、図１１に断面図を示したように、その環状突条１７ｂ，１７ｄ，１７ｆ，１７ｈの上側の外周面を凹ませることにより肉薄溝１９ｂ，１９ｄ，１９ｆ，１９ｈを形成する。このように環状突条１７ａ〜１７ｈの下側と上側に交互に肉薄溝１９ａ〜１９ｈを形成することで、該各肉薄溝の両端を切欠１８ａ〜１８ｈの上下端に夫々連通させる。
【０００９】
なお、２０は上記領域Ｂ，Ｄ，Ｆ，Ｈに属する外周壁１３の下部の内面に容器１の外側面との隙間を埋め得るべく形成した複数の縦リブである。また、図３，図８から判るように、切欠１８ａについては例外的に下半部が大幅に切り欠かれ、該切欠中に該外周壁１３の肉薄溝１９ａより下部と連なるプルタブ２１を一体に形成している。なお、２２は該プルタブを該切欠１８ａの下半部中に係止しておくために隣接する領域Ｈの外周壁１３の下部に連接させ、該プルタブを引張ったときに容易にちぎれるように薄く形成した連接部である。
【００１０】
このように構成した密閉蓋１０は、図１，図２に示したように、開口縁２に環状突条１７ａ〜１７ｈを係合させることにより、容器１の開口部が強固に密閉され工場等から出荷される内容物を保護する。そして、この密封状態であるときは、該密閉蓋１０の下縁が容器１の上記水平フランジ３上に殆ど隙間なく接近していることから無用な開封が阻止される。また、上記縦リブ２０が容器１の外側面との隙間を埋めていることからも指や工具等の差込ができないようにして開封を阻止している。
【００１１】
そして、切欠１８ａに指を差し入れプルタブ２１を摘んで引張ることで、先ず肉薄溝１９ａより下部が切欠１８ｂまで引きちぎられ、さらに引張ることで肉薄溝１９ｂより下部が切欠１８ｃまで引きちぎられ、さらに引張ることで肉薄溝１９ｃより下部が切欠１８ｄまで引きちぎられ、さらに、肉薄溝１９ｄより下部が切欠１８ｅまで引きちぎられ、肉薄溝１９ｅより下部が切欠１８ｆまで引きちぎられ、肉薄溝１９ｆより下部が切欠１８ｇまで引きちぎられ、肉薄溝１９ｇより下部が切欠１８ｈまで引きちぎられ、肉薄溝１９ｈより下部が引きちぎられる。このため、上記領域Ｂ，Ｄ，Ｆ，Ｈの環状突条１７ｂ，１７ｄ，１７ｆ，１７ｈが連鎖状に離脱し、図１２に示したように、密閉蓋１０の下部が１つ置きに引きちぎられた矩形波状の形態となり、該密閉蓋１０の下部に指を掛ける部分ができるとともに、容器１との係合力も弱くなるので、該密閉蓋１０を軽い力で容易に開けられるようになる。なお、図１３はこうして開けた後の密閉蓋を示す。
【００１２】
また、こうして密閉蓋１０をいったん開けた後に、この密閉蓋で再び容器１を閉じる際には、該密閉蓋に残っている４つの環状突条１７ａ，１７ｃ，１７ｅ，１７ｇが開口縁２に係合できることから、所期の密閉性を維持できるとともに、何度でも容易に開閉できるようになる。なお、この開封後の必要な密閉性を考慮して上記環状突条１７ａ，１７ｃ，１７ｅ，１７ｇの長さ等が適宜決定される。
【００１３】
またこの実施形態において、上記肉薄溝１９ａ，１９ｃ，１９ｅ，１９ｇは外周壁１３の内周面を凹ませることにより形成し、肉薄溝１９ｂ，１９ｄ，１９ｆ，１９ｈは外周壁１３の外周面を凹ませることにより形成したのは、合成樹脂の射出成形によりこの密閉蓋を成形するに際し、肉薄溝１９ｂ，１９ｄ，１９ｆ，１９ｈが領域Ｂ，Ｄ，Ｆ，Ｈの外周壁１３の下部に上記縦リブ２０を形成することの妨げとならないようにするためである。従って各肉薄溝は成形上の都合を除けば内外周面いずれに形成してもよい。またこの実施形態では円形容器とその円形密閉蓋を示したが、本発明は円形に限らず角形容器とその角形密閉蓋に適用することも可能である。
【００１４】
【発明の効果】
このように本発明の密閉蓋は、周方向に適宜間隔で複数の切欠を設けることで環状突条を複数に分断状なるように形成するとともに、分断した環状突条の下側と上側に交互に肉薄溝を形成し、外周壁の該肉薄溝から下部を引きちぎることで該環状突条が１つ置きに離脱されるようにしたので、いったん開けた後も所期の密閉性が維持され、容易に開閉できるようにする有益な効果がある。
【図面の簡単な説明】
【図１】本発明の実施形態を示す容器に密閉蓋を閉じたときの斜視図。
【図２】図１の縦断面図。
【図３】本発明の実施形態を示す密閉蓋の斜視図。
【図４】図３の密閉蓋の側面図。
【図５】図３の密閉蓋の平面図。
【図６】図３の密閉蓋の縦断面図。
【図７】図３の密閉蓋の裏面図。
【図８】図５の密閉蓋のＷ−Ｗ線断面図。
【図９】図５の密閉蓋のＸ−Ｘ線断面図。
【図１０】図５の密閉蓋のＹ−Ｙ線断面図。
【図１１】図５の密閉蓋のＺ−Ｚ線断面図。
【図１２】本発明の実施形態を示す開封後の容器と密閉蓋の斜視図。
【図１３】本発明の実施形態を示す密閉蓋の開封後の斜視図。
【符号の説明】
１                容器
２                開口縁
１０              密閉蓋
１１              蓋本体
１２              内周壁
１３              外周壁
１４              挟着部
１７ａ〜１７ｈ    環状突条
１８ａ〜１８ｈ    切欠
１９ａ〜１９ｈ    肉薄溝
２０              縦リブ
２１              プルタブ
【図１】
0004194278.tif 000002
【図２】
0004194278.tif 000003
【図３】
0004194278.tif 000004
【図４】
0004194278.tif 000005
【図５】
0004194278.tif 000006
【図６】
0004194278.tif 000007
【図７】
0004194278.tif 000008
【図８】
0004194278.tif 000009
【図９】
0004194278.tif 000010
【図１０】
0004194278.tif 000011
【図１１】
0004194278.tif 000012
【図１２】
0004194278.tif 000013
【図１３】
0004194278.tif 000014